(57)【要約】【課題】株元伝動パイプの基端部に対する藁屑や泥の堆積を防止する。【解決手段】走行機体から前下方に向けて延出される刈取伝動縦パイプ１９と、該刈取伝動縦パイプ１９の前端部から前上方に立ち上がる株元伝動パイプ２２と、該株元伝動パイプ２２が伝動する動力で駆動し、刈取茎稈の株元部を後方に向けて搬送する株元搬送チェン１４Ｃとを備えるコンバイン１であって、前記株元伝動パイプ２２の基端部上方を覆うカバー体２４（中央カバー２４Ｃ）を備える。【選択図】図５
2007143477.tif 000002
【特許請求の範囲】
【請求項１】
走行機体から前下方に向けて延出される刈取伝動縦パイプと、該刈取伝動縦パイプの前端部から前上方に立ち上がる株元伝動パイプと、該株元伝動パイプが伝動する動力で駆動し、刈取茎稈の株元部を後方に向けて搬送する株元搬送チェンとを備えるコンバインであって、前記株元伝動パイプの基端部上方を覆うカバー体を備えることを特徴とするコンバイン。
【請求項２】
前記カバー体は、前記株元搬送チェンに近接する位置から前記刈取伝動縦パイプの中心位置に亘って設けられることを特徴とする請求項１記載のコンバイン。
【請求項３】
前記カバー体は、前記株元搬送チェンで搬送される刈取茎稈の株元をガイドし、株元の広がりを抑えることを特徴とする請求項１又は２記載のコンバイン。
【発明の詳細な説明】
【技術分野】
【０００１】
本発明は、刈取伝動縦パイプ及び株元伝動パイプを介して、前処理部の株元搬送チェンに動力伝動を行うコンバインに関する。
【背景技術】
【０００２】
一般に、この種のコンバインは、機体の前部に前処理部を備え、該前処理部の駆動により茎稈を刈り取ると共に、刈り取った茎稈を脱穀部まで搬送するように構成されている。通常、前処理部は、茎稈を引き起す引起し装置、茎稈を掻込むスターホイールや掻込み搬送ベルト、茎稈の株元を切断する刈刃、刈取茎稈の株元部を後上方に向けて搬送する株元搬送チェン、刈取茎稈の穂先側を後上方に向けて搬送する穂先搬送体（爪付きチェン）などの装置を備えて構成されており、各装置には、走行機体から前下方に向けて延出される刈取伝動縦パイプ、刈取伝動縦パイプの前端から左右両側方に向けて延出される刈取伝動横パイプ、刈取伝動縦パイプの前端部から前上方に立ち上がる株元伝動パイプなどを介して動力伝動が行われる（例えば、特許文献１参照）。
【特許文献１】特許第３５６３００５号公報
【発明の開示】
【発明が解決しようとする課題】
【０００３】
ところで、上記のように構成されるコンバインでは、刈取茎稈が株元伝動パイプの上方を通過するので、刈取茎稈から落下する藁屑や泥が株元伝動パイプ上に堆積するという問題がある。特に、多条刈りのコンバインでは、複数の条から刈り取った茎稈を株元伝動パイプ上で合流させるので、株元伝動パイプに対する藁屑や泥の堆積が顕著であった。
【課題を解決するための手段】
【０００４】
本発明は、上記の如き実情に鑑みこれらの課題を解決することを目的として創作されたものであって、走行機体から前下方に向けて延出される刈取伝動縦パイプと、該刈取伝動縦パイプの前端部から前上方に立ち上がる株元伝動パイプと、該株元伝動パイプが伝動する動力で駆動し、刈取茎稈の株元部を後方に向けて搬送する株元搬送チェンとを備えるコンバインであって、前記株元伝動パイプの基端部上方を覆うカバー体を備えることを特徴とする。このようにすると、株元伝動パイプの基端部に対する藁屑や泥の堆積を防止することができる。
また、前記カバー体は、前記株元搬送チェンに近接する位置から前記刈取伝動縦パイプの中心位置に亘って設けられることを特徴とする。このようにすると、株元伝動パイプ全域に対する藁屑や泥の堆積を防止できるだけでなく、藁屑や泥を刈取伝動縦パイプの中心位置まで導き、刈取伝動縦パイプに対する付着や堆積も防止できる。
また、前記カバー体は、前記株元搬送チェンで搬送される刈取茎稈の株元をガイドし、株元の広がりを抑えることを特徴とする。このようにすると、株元搬送チェンの終端部まで搬送された茎稈を、株元の広がりを抑えた状態で後続の扱深さ搬送装置に引き渡すことができる。
【発明を実施するための最良の形態】
【０００５】
次に、本発明の実施形態について、図面に基づいて説明する。図１において、１はコンバインであって、該コンバイン１は、茎稈を刈り取る前処理部２と、刈り取った茎稈から穀粒を脱穀し、脱穀した穀粒を選別する脱穀部３と、選別された穀粒を貯溜する穀粒タンク（図示せず）と、脱穀済みの排藁を後処理する後処理部（図示せず）と、オペレータが乗車する操作部４と、クローラ式の走行部５とを備えて構成されている。
【０００６】
図２〜図４に示すように、本実施形態の前処理部２は、６条刈り仕様であって、茎稈を刈取条数分に分草するデバイダ６と、茎稈を引起す引起装置７と、茎稈の株元を切断する刈刃８と、茎稈の株元側を掻込み搬送するスターホイール９と、茎稈の穂先側を掻込み搬送する掻込み搬送ベルト１０と、掻き込まれた左側２条分の茎稈を合流点に向けて搬送する左側搬送部１１Ｌと、掻き込まれた中央２条分の茎稈を合流点に向けて搬送する中央搬送部１１Ｃと、掻き込まれた右側２条分の茎稈を合流点に向けて搬送する右側搬送部１１Ｒと、合流した茎稈を脱穀部３に設けられる脱穀フィードチェン１２の始端部に向けて搬送する後側搬送部１３とを備えて構成されている。
【０００７】
左側搬送部１１Ｌ、中央搬送部１１Ｃ、右側搬送部１１Ｒは、それぞれ株元搬送チェン１４Ｌ、１４Ｃ、１４Ｒと、穂先搬送体（爪付きチェン）１５Ｌ、１５Ｃ、１５Ｒとを備えて構成されている。株元搬送チェン１４Ｌ、１４Ｃ、１４Ｒは、刈刃８の上方位置から後上方の合流位置に亘って前低後高状に配置され、茎稈の株元側を後上方に向けて搬送する。穂先搬送体１５Ｌ、１５Ｃ、１５Ｒは、株元搬送チェン１４Ｌ、１４Ｃ、１４Ｒの上方に平行に配置されており、茎稈の穂先側を後上方に向けて搬送する。
【０００８】
後側搬送部１３は、穂先搬送体（爪付きチェン）１６と、扱深さ搬送体１７と、補助搬送体１８とを備えて構成されている。穂先搬送体１６は、合流位置から脱穀部３に向けて前低後高状に配置され、合流された茎稈の穂先側を後上方に向けて搬送する。扱深さ搬送体１７は、合流された茎稈の株元側を後上方に向けて搬送する株元搬送チェンであるが、その前端側を支点とする上下回動により、脱穀部３における茎稈の扱深さを調節する。また、補助搬送体１８は、扱深さ搬送体１７の終端部と脱穀フィードチェン１２の始端部との間で株元部の受け渡しを行う株元搬送チェンである。
【０００９】
図１〜図７に示すように、前処理部２には、刈取伝動縦パイプ１９、刈取伝動横パイプ２０、引起し伝動パイプ２１、株元伝動パイプ２２などの伝動パイプが設けられ、これらの伝動パイプに内装される伝動軸やベベルギヤを介して、前処理部２の各装置に動力が伝動される。刈取伝動縦パイプ１９は、走行機体の前端部から前下方に向けて延出され、入力プーリ２３に入力される動力を前処理部２に伝動する。刈取伝動横パイプ２０は、刈取伝動縦パイプ１９の前端から左右両側方に向けて延出され、右端部から刈刃８の動力が取り出される。引起し伝動パイプ２１は、刈取伝動横パイプ２０の左端部から前上方に立ち上がり、引起装置７、スターホイール９、掻込み搬送ベルト１０などに動力を伝動する。株元伝動パイプ２２は、刈取伝動縦パイプ１９の前端部から前上方に立ち上がり、上端部に設けられる駆動スプロケット２２ａによって、中央搬送部１１Ｃの株元搬送チェン１４Ｃを駆動させる。
【００１０】
刈取作業中は、刈取茎稈が刈取伝動横パイプ２０や株元伝動パイプ２２の上方を通過するので、刈取茎稈から落下する藁屑や泥が刈取伝動横パイプ２０や株元伝動パイプ２２上に堆積する可能性がある。特に、６条刈り仕様である本実施形態の前処理部２では、複数の条から刈り取った茎稈を株元伝動パイプ２２上で合流させるので、株元伝動パイプ２２上に大量の藁屑や泥が堆積する可能性がある。
【００１１】
本発明の実施形態に係るコンバイン１は、上記のような問題を解決するために、刈取伝動横パイプ２０や株元伝動パイプ２２の上方を覆うカバー体２４を備える。図５〜図７に示すように、カバー体２４には、刈取伝動横パイプ２０の左側上方を覆う左側カバー２４Ｌと、刈取伝動横パイプ２０の右側上方を覆う右側カバー２４Ｒと、株元伝動パイプ２２の上方を覆う中央カバー２４Ｃとが含まれ、
左側カバー２４Ｌ及び右側カバー２４Ｒは、ブラケット２５を介して刈取伝動横パイプ２０に固定され、中央カバー２４Ｃは、左側カバー２４Ｌ及び右側カバー２４Ｒに対して固定される。
【００１２】
左側カバー２４Ｌ及び右側カバー２４Ｒは、側面視山（∧）形状の板部材からなり、上面前側を前傾面２４ａとし、上面後側を後傾面２４ｂとしてある。そして、前傾面２４ａは、側面視において、株元搬送チェン１４Ｌ、１４Ｃ、１４Ｒによって搬送される茎稈下端の通過位置の近傍に配置される。このようにすると、図８及び図９に示すように、搬送茎稈の株元が左側カバー２４Ｌ及び右側カバー２４Ｒの前傾面２４ａに沿って通過し、前傾面２４ａの上に乗った藁屑や泥を掃き落すので、左側カバー２４Ｌ及び右側カバー２４Ｒに対する藁屑や泥の堆積を防止することができる。
【００１３】
本実施形態では、側面視において、刈刃８の切断位置を通り、かつ、株元搬送チェン１４Ｌ、１４Ｃ、１４Ｒと平行な仮想線Ｌに対し、左側カバー２４Ｌ及び右側カバー２４Ｒの前傾面２４ａを平行に配置しているが、平行でなくとも十分な効果が期待できる。また、左側カバー２４Ｌ及び右側カバー２４Ｒの前傾面２４ａは、図８に示すように、搬送茎稈の株元と所定の間隔を存するように配置してもよいし、図９に示すように、搬送茎稈の株元と接触するように配置してもよい。そして、前傾面２４ａを搬送茎稈の株元に接触する接触面とした場合には、左側カバー２４Ｌ及び右側カバー２４Ｒの上に乗った藁屑や泥を積極的に掃き落すことができるので、左側カバー２４Ｌ及び右側カバー２４Ｒに対する藁屑や泥の堆積防止効果が高められる。
【００１４】
また、左側カバー２４Ｌ及び右側カバー２４Ｒは、搬送茎稈の株元と接当するように配置してもよい。例えば、左側カバー２４Ｌ及び右側カバー２４Ｒの前端を接当部とする。このようにすると、刈取伝動横パイプ２０のカバー体を利用して、搬送茎稈の株元に付着した泥を掻き落すことが可能になる。しかも、左側カバー２４Ｌ及び右側カバー２４Ｒは、前傾面２４ａ及び後傾面２４ｂによって側面視山形状に形成されるので、搬送茎稈の株元から掻き落した泥を前方空間から圃場に落下させつつ、搬送茎稈の株元で掃き落された藁屑や泥を、前傾面２４ａや後傾面２４ｂの傾斜ガイドにより、前方空間及び後方空間から圃場に速やかに落下させることができる。
【００１５】
中央カバー２４Ｃは、左斜面２４ｃを形成する板部材と、左斜面２４ｄを形成する板部材の上端同士を連結して正面視山（∧）形状に構成されている。このような中央カバー２４Ｃで株元伝動パイプ２２の基端部上方を覆うと、株元伝動パイプ２２の基端部に対する藁屑や泥の堆積を防止できる。しかも、本実施形態の中央カバー２４Ｃは、側面視において、株元搬送チェン１４Ｃに近接する位置から刈取伝動縦パイプ１９の中心位置（好ましくは、刈取伝動縦パイプ１９を越える位置）に亘って設けられるので、株元伝動パイプ２２の全域に対する藁屑や泥の堆積を防止できるだけでなく、藁屑や泥を刈取伝動縦パイプ１９の中心位置（好ましくは、刈取伝動縦パイプ１９を越える位置）まで導き、刈取伝動縦パイプ１９に対する付着や堆積も防止できる。また、中央カバー２４Ｃは、株元搬送チェン１４Ｌ、１４Ｃ、１４Ｒで搬送される刈取茎稈の株元をガイドし、株元の広がりを抑えるように作用するので、株元搬送チェン１４Ｌ、１４Ｃ、１４Ｒの終端部まで搬送された茎稈を、株元の広がりを抑えた状態で後側搬送部１３に引き渡すことができる。
【００１６】
また、前処理部２の未刈地側には、未刈茎稈の倒れ込みを規制するナローガイド２６が設けられている。ナローガイド２６は、作動アーム２７の回動に応じて、前処理部２の側部から外側方に張り出す作用姿勢と、前処理部２の側部に沿う格納姿勢とに変姿される。作動アーム２７は、操作ワイヤ２８を介して、操作部４のナローガイド操作レバー２９に連繋されており、該ナローガイド操作レバー２９の操作に応じてナローガイド２６を変姿させる。本実施形態では、上記の操作ワイヤ２８を刈取伝動縦パイプ１９及び刈取伝動横パイプ２０に沿って配索するにあたり、カバー体２４（左側カバー２４Ｌ、中央カバー２４Ｃ）によって上方が覆われる位置に操作ワイヤ２８を配索する。このようにすると、刈取伝動横パイプ２０や株元伝動パイプ２２のカバー体２４を利用して操作ワイヤ２８を保護することができる。
【００１７】
叙述の如く構成された本実施形態によれば、走行機体から前方に向けて延出される刈取伝動縦パイプ１９と、該刈取伝動縦パイプ１９の前端から側方に向けて延出される刈取伝動横パイプ２０と、該刈取伝動横パイプ２０の前方で茎稈の株元を切断する刈刃８と、該刈刃８によって切断された茎稈の株元部を後方に向けて搬送する株元搬送チェン１４Ｌ、１４Ｃ、１４Ｒとを備えるコンバイン１において、刈取伝動横パイプ２０の上方をカバー体２４（左側カバー２４Ｌ及び右側カバー２４Ｒ）で覆うにあたり、該カバー体２４（左側カバー２４Ｌ及び右側カバー２４Ｒ）の上面（前傾面２４ａ）を、側面視で株元搬送チェン１４Ｌ、１４Ｃ、１４Ｒによって搬送される茎稈下端の通過位置の近傍に配置したので、搬送茎稈の株元がカバー体２４（左側カバー２４Ｌ及び右側カバー２４Ｒ）に沿って通過し、カバー体２４（左側カバー２４Ｌ及び右側カバー２４Ｒ）の上に乗った藁屑や泥を掃き落すことになり、その結果、カバー体２４（左側カバー２４Ｌ及び右側カバー２４Ｒ）に対する藁屑や泥の堆積を防止できる。
【００１８】
また、カバー体２４（左側カバー２４Ｌ及び右側カバー２４Ｒ）の上面に、搬送茎稈の株元に接触する接触面（前傾面２４ａ）を備える場合は、カバー体２４（左側カバー２４Ｌ及び右側カバー２４Ｒ）の上に乗った藁屑や泥を積極的に掃き落し、カバー体２４（左側カバー２４Ｌ及び右側カバー２４Ｒ）に対する藁屑や泥の堆積防止効果を高めることができる。
【００１９】
また、カバー体２４（左側カバー２４Ｌ及び右側カバー２４Ｒ）に、搬送茎稈の株元と接当する接当部（前傾面２４ａの前端）を備える場合は、刈取伝動横パイプ２０のカバー体２４（左側カバー２４Ｌ及び右側カバー２４Ｒ）を利用して、搬送茎稈の株元に付着した泥を掻き落すことが可能になる。
【００２０】
また、カバー体２４（左側カバー２４Ｌ及び右側カバー２４Ｒ）は、前傾面２４ａ及び後傾面２４ｂによって側面視山形状に形成され、前傾面２４ａを、側面視で株元搬送チェン１４Ｌ、１４Ｃ、１４Ｒによって搬送される茎稈下端の通過位置の近傍に配置したので、搬送茎稈の株元で掃き落された藁屑や泥を、前傾面２４ａや後傾面２４ｂの傾斜ガイドによりカバー体２４（左側カバー２４Ｌ及び右側カバー２４Ｒ）上から速やかに落下させることができる。
【００２１】
また、カバー体２４（中央カバー２４Ｃ）は、株元伝動パイプ２２の基端部上方を覆うので、株元伝動パイプ２２の基端部に対する藁屑や泥の堆積を防止することができる。しかも、カバー体２４（中央カバー２４Ｃ）は、株元搬送チェン１４Ｃに近接する位置から刈取伝動縦パイプ１９の中心位置に亘って設けられるので、株元伝動パイプ２２の全域に対する藁屑や泥の堆積を防止できるだけでなく、藁屑や泥を刈取伝動縦パイプ１９の中心位置まで導き、刈取伝動縦パイプ１９に対する付着や堆積も防止できる。
【００２２】
また、カバー体２４（中央カバー２４Ｃ）は、株元搬送チェン１４Ｌ、１４Ｃ、１４Ｒで搬送される刈取茎稈の株元をガイドし、株元の広がりを抑えるので、株元搬送チェン１４Ｌ、１４Ｃ、１４Ｒの終端部まで搬送された茎稈を、株元の広がりを抑えた状態で後側搬送部１３に引き渡すことができる。
【図面の簡単な説明】
【００２３】
【図１】コンバインの側面図である。
【図２】前処理部の平面図である。
【図３】前処理部の側面図である。
【図４】前処理部の中央搬送部を示す側面図である。
【図５】伝動パイプ及びカバー体の位置関係を示す説明図である。
【図６】伝動パイプ及びカバー体の斜視図である。
【図７】伝動パイプ及びカバー体の分解斜視図である。
【図８】カバー体の作用説明図である。
【図９】カバー体の作用説明図である。
【符号の説明】
【００２４】
１      コンバイン
２      前処理部
８      刈刃
１１Ｒ  右側搬送部
１１Ｌ  左側搬送部
１１Ｃ  中央搬送部
１２    脱穀フィードチェン
１３    後側搬送部
１４    株元搬送チェン
１５    穂先搬送体
１９    刈取伝動縦パイプ
２０    刈取伝動横パイプ
２２    株元伝動パイプ
２４    カバー体
２４Ｌ  左側カバー
２４Ｒ  右側カバー
２４Ｃ  中央カバー
２４ａ  前傾面
２４ｂ  後傾面
【図１】
2007143477.tif 000003
【図２】
2007143477.tif 000004
【図３】
2007143477.tif 000005
【図４】
2007143477.tif 000006
【図５】
2007143477.tif 000007
【図６】
2007143477.tif 000008
【図７】
2007143477.tif 000009
【図８】
2007143477.tif 000010
【図９】
2007143477.tif 000011